(57)【要約】【課題】  余り力を必要とすることなく被梱包物を簡単容易に結束することができ、しかも把手を付けた状態で結束し得て把手の取り付け作業を省略できる把手付き自動ロックカム式結束バンドを提供することにある。【解決手段】  被梱包物ａを結束する二本のバンド２の一端に係止溝孔３をそれぞれ形成し、各バンド２の表面に一端の係止溝孔３内に任意位置で係止される鋸歯状係止片２１を長さ方向に向けて形成し、上記二本のバンド２を間をあけて平行に配置し、平行に配置した二本のバンド２をその間に横断方向に配置した把手片４で一体的に連結すると共に把手片４の両側に折り目４１，４２を形成した。【選択図】        図１
0003113633.tif 000002
【実用新案登録請求の範囲】
【請求項１】
被梱包物を結束する二本のバンドの一端に係止溝孔をそれぞれ形成し、各バンドの表面に一端の係止溝孔内に任意位置で係止される鋸歯状係止片を長さ方向に向けて形成し、上記二本のバンドを間をあけて平行に配置し、平行に配置した二本のバンドをその間に横断方向に配置した把手片で一体的に連結すると共に把手片の両側に折り目を形成したことを特徴とする把手付き自動ロックカム式結束バンド。
【考案の詳細な説明】
【技術分野】
【０００１】
この考案は、複数の例えば雑誌、書籍、新聞等の被梱包物を上下に重ねて結束する技術に係り、特に、余り力を必要とすることなく被梱包物を簡単容易に結束でき、また把手を付けた状態で結束し得て把手の取り付け作業を省略できる把手付き自動ロックカム式結束バンドに関するものである。
【背景技術】
【０００２】
従来、複数の例えば雑誌、書籍、新聞等の被梱包物ａを別の場所に移動したり或いは廃棄するために運ぶ場合、運べる適当量の被梱包物ａを上下に重ね、運ぶ途中で荷崩れしないように例えばナイロンヒモなどのヒモ類ｂを使って結束している（図４参照）。また、この場合、手で持って運び易いように、被梱包物を縛った二本のヒモ類の間に把手を取り付けることもある。
【特許文献１】実開昭６２−１４６７６１
【特許文献２】特開平１１−１０９８６７
【考案の開示】
【考案が解決しようとする課題】
【０００３】
しかしながら、女性、老人、子供等の非力な者にとっては、束ねた被梱包物が運ぶ途中で荷崩れしないようにヒモ類を使って固く縛るための締め付け作業は非常に大変な作業であり、又面倒でもあった。しかも、余分なヒモ類の切断時には刃物を使用するために危険であった。特に、梱包作業でしびれた手で余分なヒモ類を刃物を使って切断するのは非常に危険であった。
また、手で掴んで運び易いように、被梱包物を縛った二本のヒモ類の間に把手を取り付ける場合、固く縛ったヒモ類の隙間に把手の端部を挿入して引っ掛けるのも非力な者にとっては手間がかかり大変な作業であった。
【０００４】
この考案は、上記のような課題に鑑み、その課題を解決すべく創案されたものであって、その目的とするところは、余り力を必要とすることなく被梱包物を簡単容易に結束することができ、しかも把手を付けた状態で結束し得て把手の取り付け作業を省略できる把手付き自動ロックカム式結束バンドを提供することにある。
【課題を解決するための手段】
【０００５】
以上の目的を達成するために、この考案は、被梱包物を結束する二本のバンドの一端に係止溝孔をそれぞれ形成し、各バンドの表面に一端の係止溝孔内に任意位置で係止される鋸歯状係止片を長さ方向に向けて形成し、上記二本のバンドを間をあけて平行に配置し、平行に配置した二本のバンドをその間に横断方向に配置した把手片で一体的に連結すると共に把手片の両側に折り目を形成した手段よりなるものである。
【考案の効果】
【０００６】
以上の記載より明らかなように、この考案に係る把手付き自動ロックカム式結束バンドによれば、被梱包物を結束する二本のバンドの一端に係止溝孔をそれぞれ形成し、各バンドの表面に一端の係止溝孔内に任意位置で係止される鋸歯状係止片を長さ方向に向けて形成し、上記二本のバンドを間をあけて平行に配置し、平行に配置した二本のバンドをその間に横断方向に配置した把手片で一体的に連結すると共に把手片の両側に折り目を形成したことにより、二本のバンドを利用して被梱包物外周を一周した二本のバンドの先端を各係止溝孔内に挿入して引っ張るのみで、余り力を必要とすることなく簡単容易に被梱包物を固く結束することができ、非力な老人、女性、子供でも被梱包物の結束作業を行うことができる。しかも、把手として機能する把手片が二本のバンドに一体化されているので、二本のバンドを被梱包物に結束するのみで把手片を同時に取り付けることができ、従来のように被梱包物を結束した後に改めて把手の取り付け作業を行う必要もなく、把手の取り付け作業を省略することができる。そして、被梱包物を結束した二本のバンドの間には把手が取り付けられているため、この把手を持つことにより被梱包物の持ち運びを容易にすることができる等、極めて実用的有益なる効果を奏するものである。
【考案を実施するための最良の形態】
【０００７】
以下、図面に記載の考案を実施するための最良の形態に基づいて、この考案をより具体的に説明する。
ここで、図１は把手付き自動ロックカム式結束バンドの一部省略展開平面図、図２（Ａ）は把手付き自動ロックカム式結束バンドの部分拡大側断面図、図２（Ｂ）は把手片の拡大断面図、図３は把手付き自動ロックカム式結束バンドによる結束時の斜視図である。
【０００８】
図において、把手付き自動ロックカム式結束バンド１は、被梱包物ａを結束する二本のバンド２、各バンド２の一端に形成された係止溝孔３、各バンド２の表面に形成された鋸歯状係止片２１、二本のバンド２の間に配置され両バンド２を連結する把手片４などから構成されている。
【０００９】
二本のバンド２は間をあけて平行に配置されている。各バンド２は複数の重ねられた例えば雑誌、書籍、新聞等の被梱包物ａを結束するヒモ類の機能を果たす。各バンド２の長さは、被梱包物ａを結束するのに十分な長さを有していて、その長さについては複数の規格がある。また各バンド２はその長さに対して通常その幅が狭く、一般に細長状になっている。
【００１０】
各バンド２はその材質が例えばナイロン製からなり、かなりの引っ張り強度を有していて、被梱包物ａの結束中や結束後に簡単に切れることはない。また、各バンド２は被梱包物ａの外周を長方形状に結束できるように、屈曲柔軟性を有している。
【００１１】
各バンド２は、その一端に係止溝孔３が形成され、係止溝孔３と反対側となる先端側がこの係止溝孔３内に挿入されて、任意位置で係止されることで被梱包物ａを結束する構造になっている。このため、各バンド２の先端側は、係止溝孔３内に挿入され易いように先端に向かってその両幅が徐々に狭くなりその先端は丸みを帯びるように形成されている。
【００１２】
各バンド２の片面側の表面には、バンド２の一端に形成された係止溝孔３内に任意位置で係止される鋸歯状係止片２１が長さ方向に向けて形成されている。鋸歯状係止片２１の各断面形状は、同一形の三角形の形状をしており、係止溝孔３に向く側の斜辺は急傾斜しており、これと反対側の斜辺は緩やかな傾斜になっている。
【００１３】
このため、各バンド２の表面に形成された鋸歯状係止片２１は、バンド２の一端の係止溝孔３にバンド２の他端側となる先端を挿入して被梱包物ａを結束する側に引っ張って移動させる場合には係止溝孔３内をスムーズに移動するが、その反対つまり結束を緩める側には鋸歯状係止片２１の一部が係止溝孔３の内部で引っ掛って係止されて移動できない構造、つまり自動ロックカム式になっている。
【００１４】
これにより、各バンド２は鋸歯状係止片２１により任意位置で被梱包物ａを結束できるようになっていて、被梱包物ａの重なり厚さや被梱包物ａの硬さに対応して、被梱包物ａを荷崩れしない締め付け力で結束することができる。
【００１５】
各バンド２の一端に形成された係止溝孔３は、バンド２の他端側となる先端側が挿入された場合に、任意の位置から緩む方向にバンド２が戻らないように、バンド２の表面に形成された鋸歯状係止片２１の一部を引っ掛けて係止させる自動ロックカム機能を果たしている。
【００１６】
係止溝孔３は、平面からみて図面上では左右両側が長さ方向に左側溝孔及び右側溝孔が形成され、又左右の長さ方向の側溝孔の外寄り端部からその横断方向となる幅方向に幅溝孔が形成された例えば逆コ字型になっている。この逆コ字型の溝孔の内部側の幅溝孔の内側面には、バンド２の鋸歯状係止片２１の一部と係合して結束が緩む方向に対しては係止させる断面三角形状のストッパー突起片３１が上下に形成されている。
【００１７】
把手片４は、把手付き自動ロックカム式結束バンド１が重ねた複数の被梱包物ａを結束した後にこれを持ち運ぶに手でつかむ把手部分を構成するもので、平行に配置された二本のバンド２の間にその横断方向に配置されて、二本のバンド２と一体的に連結されている。二本のバンド２はこの把手片４を通じて一体的に連結されている。
【００１８】
すなわち、把手片４の両端は各バンド２の向き合う側の側端の一部に一体的に連結されている。把手片４は各バンド２と一体成形され、把手片４の材質はバンド２の材質と同一である。バンド２の材質が例えばナイロン製の場合、把手片４の材質もナイロン製となる。
【００１９】
把手片４は、被梱包物ａを結束した後にこれを持ち運ぶに手で直接につかまれる把手部分となるので、手で直接つかむ場合につかみ易いように、細長なバンド２のバンド幅よりも広幅になっている。つかむ手が当たる把手片４の両側端は少し丸みを帯びていて、把手片４をつかむ場合に手のひらが余り痛くないように形成されている。
【００２０】
把手片４の両側には二箇所に折り目４１，４２がそれぞれ形成されている。把手片４の両側の二箇所にそれぞれ形成された折り目４１，４２は、手でつかまれる把手片４と被梱包物ａの表面との間に手が十分に入るスペースを確保するための折れ曲げ部分を把手片４に形成するためのものである。
【００２１】
折り目４１は把手片４の両端と各バンド２の側端とが接する部分に、把手片４の幅方向に形成されている。折り目４１は各バンド２に対して把手片４を上向きに折り曲げ易いように形成されている。
【００２２】
折り目４２は折り目４１より少し中央側寄りの把手片４に折り目４１に平行に形成されている。折り目４２は上向きに曲げられた把手片４を水平向きに折り曲げ易いように形成されている。つまり、折り目４１と折り目４２とは折り曲げ方向が逆方向になっている。
【００２３】
次に、上記考案を実施するための最良の形態の構成に基づく使用について以下説明する。
複数の例えば雑誌、書籍、新聞等の被梱包物ａを別の場所に移動したり或いは廃棄するために運ぶ場合、運べる適当量の被梱包物ａを上下に重ね、運ぶ途中で荷崩れしないように把手付き自動ロックカム式結束バンド１を使用して結束する。
【００２４】
把手付き自動ロックカム式結束バンド１の把手片４の両端の折り目４１をその折り目方向つまり持ち運び時に上向きになる方向に折り曲げ、又両側の折り目４２をその折り目方向つまり持ち運び時に水平向きになる方向に折り曲げる。
【００２５】
このようにして、把手付き自動ロックカム式結束バンド１の把手片４の両側を折り目４１，４２の各折り目方向に向けて折り曲げて、二本のバンド２の間隔を狭めて敷いた後に、その敷いた上に運べる適当量の被梱包物ａを上下に重ねて置き、重ねた置いた被梱包物ａの外周を各バンド２を一周させ、一周させた各バンド２の先端側を一端の係止溝孔３内を挿通させる。
【００２６】
係止溝孔３内を挿通した各バンド２の先端側を引っ張り、被梱包物ａをバンド２で固く結束したと感じた箇所で離すと、各バンド２の表面に形成した鋸歯状係止片２１が係止溝孔３内のストッパー突起片３１と係合して、各バンド２を緩める方向つまり戻す方向に対してはストッパー突起片３１により鋸歯状係止片２１が係止されることにより、被梱包物ａは各バンド２によって確実に結束され、運ぶ途中で荷崩れを起こすことはない。
【００２７】
被梱包物ａを結束した二本のバンド２の間には把手片４が一体的に設けられているため、従来のように結束後に改めて別体の把手を取り付けることがなく、把手の取り付け作業を省略できる。結束した被梱包物ａは把手片４を持つことにより、その持ち運びが容易となり、結束した被梱包物ａは別の場所に移動させたり、廃棄場所に持ち込まれて廃棄される。
【００２８】
なお、この考案は上記考案を実施するための最良の形態に限定されるものではなく、この考案の精神を逸脱しない範囲で種々の改変をなし得ることは勿論である。
【産業上の利用可能性】
【００２９】
把手付き自動ロックカム式結束バンド１は、複数の例えば雑誌、書籍、新聞等の被梱包物ａの結束以外に、例えばダンボール箱などの被梱包物に把手を付ける場合の用途にも適用可能である。
【図面の簡単な説明】
【００３０】
【図１】この考案を実施するための最良の形態を示す把手付き自動ロックカム式結束バンドの一部省略展開平面図である。
【図２】（Ａ）はこの考案を実施するための最良の形態を示す把手付き自動ロックカム式結束バンドの部分拡大側断面図である。  （Ｂ）はこの考案を実施するための最良の形態を示す把手片の拡大断面図である。
【図３】この考案を実施するための最良の形態を示す把手付き自動ロックカム式結束バンドによる結束時の斜視図である。
【図４】従来のヒモ類による結束時の斜視図である。
【符号の説明】
【００３１】
１    把手付き自動ロックカム式結束バンド
２    バンド
２１    鋸歯状係止片
３    係止溝孔
３１    ストッパー突起片
４    把手片
４１    折り目
４２    折り目
ａ    被梱包物
ｂ    ヒモ類
【図１】
0003113633.tif 000003
【図２】
0003113633.tif 000004
【図３】
0003113633.tif 000005
【図４】
0003113633.tif 000006